(57)【要約】【課題】掃除中であっても、室内の様々な場所に、延長管およびハンドル部を含む掃除具を立て掛け可能とする電気掃除機を提供する。【解決手段】ハンドル部４の把手部４２の前方側に突出する突出アーム８を設け、当該突出アーム８に滑り止め部９を配設した電気掃除機１とした。また、滑り止め部９は、下向き滑り止め部９Ａ１と前向き滑り止め部９Ａ２と上向き滑り止め部９Ａ３とを形成する構成とした。【選択図】図１
2014045835.tif 000002
【特許請求の範囲】
【請求項１】
掃除機本体と接続ホースとハンドル部と延長管と吸込みノズルとを備えた電気掃除機であって、
前記ハンドル部は、
前記接続ホースと前記延長管との間に介装され、吸込気流が流通する吸気通路を形成する連結管部と、
前記連結管部から上方に延出して設けられる把手部と、
前記把手部の前方側に突出する突出アームと、を備え、
前記突出アームには、滑り止め部を配設したことを特徴とする電気掃除機。
【請求項２】
前記滑り止め部は、下向き滑り止め部と前向き滑り止め部と上向き滑り止め部とを形成する滑り止め部であることを特徴とする請求項１に記載の電気掃除機。
【請求項３】
前記滑り止め部は、下向き滑り止め部と前向き滑り止め部と上向き滑り止め部との３面の滑り止め部を一体に有することを特徴とする請求項１または２に記載の電気掃除機。
【請求項４】
前記滑り止め部は、前記突出アームの先端に回動自在に軸支され、一面に滑り止め面を有し、当該滑り止め面が、下向き滑り止め位置と前向き滑り止め位置と上向き滑り止め位置とに変位可能とされ、それぞれ、下向き滑り止め部と前向き滑り止め部と上向き滑り止め部とを構成することを特徴とする請求項１または２に記載の電気掃除機。
【請求項５】
前記突出アームは、前記把手部に対して当該把手部の前方側から所定角度上側に向けて突出することを特徴とする請求項１から４のいずれかに記載の電気掃除機。
【発明の詳細な説明】
【技術分野】
【０００１】
本発明は、電気掃除機に関し、特に、掃除中に掃除具を机や壁などに立て掛け容易な構成とした電気掃除機に関する。
【背景技術】
【０００２】
電動送風機と集塵部とを備えた掃除機本体に、屈曲自在な接続ホースとこの接続ホースに連結する延長管と該延長管の先端に取付ける吸込みノズルを一体に接続した電気掃除機が一般に知られている。
【０００３】
また、人が立った姿勢で容易に掃除できるように、接続ホースの先端に曲がった形状のハンドル部が接続されており、このハンドル部に延長管が接続される。そして、このハンドル部を把持して先端の吸込みノズルを床に沿わせて前後に動かして床上の塵埃を吸引収集している。
【０００４】
家の中を掃除する際に、例えば、テーブルの周囲や下を掃除する時に、一旦掃除を中断して椅子などを移動して、その後で掃除を続行する場合がある。また、本棚の周囲を掃除する場合には、一旦掃除を中断して本を片づけたり並べ直したりして、その後、掃除を続行する場合がある。さらに、一旦掃除を中断して掃除以外の要件を行う場合もある。
【０００５】
このように、電気掃除機を用いた掃除中にはこの掃除作業を一旦中断する場合が多くあるので、掃除中に接続ホースやハンドル部や延長管を含む掃除具をテーブルや椅子などの上に置いたり立て掛けたりして、その後の掃除を容易に再開できるようにしている。
【０００６】
また、テーブルや椅子などの上に置いたり立て掛けたりするときに、滑り止め部を介して滑らないように固定しておくことが提案されており、例えば、ハンドル部近傍の延長管に、また、ハンドル部の接続ホース側に滑り止め部を設けた電気掃除機が既に提案されている（例えば、特許文献１参照）。
【先行技術文献】
【特許文献】
【０００７】
【特許文献１】特開２００４−２１５８７２号公報
【発明の概要】
【発明が解決しようとする課題】
【０００８】
特許文献１に記載されているように、ハンドル部近傍に設けた滑り止め部を介して、テーブルや椅子などに、延長管を立て掛けることが可能になる。しかし、この構成では、垂直な面である壁に立て掛けることは困難であり、本棚のような奥行の短い家具に対しても容易に立て掛けられる構成ではない。
【０００９】
そのために、使い勝手がよく高い利便性を発揮するためには、テーブルや椅子などに加えて壁や本棚などにも容易に立て掛けられる構成の掃除具であることが望ましく、また、使用者が常に立ったままの姿勢で、立て掛け操作と再使用操作とを容易に行えることが望ましい。
【００１０】
そこで本発明は、上記問題点に鑑み、掃除中であっても、室内の様々な場所に、延長管およびハンドル部を含む掃除具を立て掛け可能とする電気掃除機を提供することを目的とする。
【課題を解決するための手段】
【００１１】
上記目的を達成するために本発明は、掃除機本体と接続ホースとハンドル部と延長管と吸込みノズルとを備えた電気掃除機であって、前記ハンドル部は、前記接続ホースと前記延長管との間に介装され、吸込気流が流通する吸気通路を形成する連結管部と、前記連結管部から上方に延出して設けられる把手部と、前記把手部の前方側に突出する突出アームと、を備え、前記突出アームには、滑り止め部を配設したことを特徴としている。
【００１２】
この構成によると、把手部の前方に突出アームが延設されているので、使用者が電気掃除機を把持して掃除中には、この突出アームをテーブルや椅子などの家具に係止して、延長管とハンドル部と接続ホースを含む掃除具を容易に立て掛けることが可能になる。また、この突出アームに滑り止め部を配設しているので、壁や本棚などに対しても容易に立て掛けることが可能になる。
【００１３】
また本発明は上記構成の電気掃除機において、前記滑り止め部は、下向き滑り止め部と前向き滑り止め部と上向き滑り止め部とを形成する滑り止め部であることを特徴としている。この構成によると、立て掛ける相手側の面の角度に応じた適当な面の滑り止め部を用いることにより、室内のどんな場所でも、掃除中に延長管とハンドル部と接続ホースを含む掃除具を立て掛け可能になる。
【００１４】
また本発明は上記構成の電気掃除機において、前記滑り止め部は、下向き滑り止め部と前向き滑り止め部と上向き滑り止め部との３面の滑り止め部を一体に有することを特徴としている。この構成によると、滑り止め部が一体構成品であっても、３面のいずれかの滑り止め部を用いることにより、室内のどんな場所でも延長管とハンドル部と接続ホースを含む掃除具を立て掛けることができる。
【００１５】
また本発明は上記構成の電気掃除機において、前記滑り止め部は、前記突出アームの先端に回動自在に軸支され、一面に滑り止め面を有し、当該滑り止め面が、下向き滑り止め位置と前向き滑り止め位置と上向き滑り止め位置とに変位可能とされ、それぞれ、下向き滑り止め部と前向き滑り止め部と上向き滑り止め部とを構成することを特徴としている。この構成によると、滑り止め部が備える滑り止め面が一面であっても、この滑り止め面を下向きと前向きと上向きに変化させることにより、室内のどんな場所でも延長管とハンドル部と接続ホースを含む掃除具を立て掛けることができる。
【００１６】
また本発明は上記構成の電気掃除機において、前記突出アームは、前記把手部に対して当該把手部の前方側から所定角度上側に向けて突出することを特徴としている。この構成によると、突出アームの突出角度を所定角度上向きにすることにより、この突出アームをテーブル面などの水平な面に載置した時に、突出アームの前側に位置する延長管及び吸込みノズルを含む前側部と、当該突出アームの後側に位置するハンドル部及び接続ホースを含む後側部とがバランスしてハンドル部を静止させることができる。
【発明の効果】
【００１７】
本発明によれば、把手部の前方に突出アームを延設し、当該突出アームに滑り止め部を配設したので、使用者が電気掃除機を把持して掃除中に、この突出アームおよび滑り止め部を介して、延長管とハンドル部と接続ホースを含む掃除具を、テーブルや椅子などに、また、壁や本棚などに対しても容易に立て掛けることが可能になる。そのために、掃除中であっても、室内の様々な場所に、延長管およびハンドル部を含む掃除具を立て掛け可能とする電気掃除機を得ることができる。
【図面の簡単な説明】
【００１８】
【図１】本発明に係る電気掃除機の一例を示す全体外観図である。
【図２】本発明に係る滑り止め部の第１実施形態例を示す側面図である。
【図３】本発明に係る滑り止め部の第２実施形態例を示す側面図である。
【図４】本発明に係る滑り止め部の第３実施形態例を示す要部拡大図である。
【図５】下向き滑り止め部を用いて掃除具を保持する状態を示す概略説明図である。
【図６】前向き滑り止め部を用いて掃除具を保持する状態を示す概略説明図である。
【図７】上向き滑り止め部を用いて掃除具を保持する状態を示す概略説明図である。
【発明を実施するための形態】
【００１９】
以下に本発明の実施形態を図面を参照して説明する。また、同一構成部材については同一の符号を用い、詳細な説明は適宜省略する。
【００２０】
図１は、電気掃除機１の全体外観図を示す。図１に示すように、本実施形態に係る電気掃除機１は、電動送風機と集塵部を内蔵する掃除機本体２と可撓性を有し屈曲自在な接続ホース３とハンドル部４と延長管５と吸込ノズル６を備えている。また、掃除機本体２には車輪１１と補助輪１２とが配設されており、使用者がハンドル部４を把持して移動しながら掃除する操作に応じて移動自在とされる。
【００２１】
また、ハンドル部４は、吸込気流が流通する吸気通路を有する連結管部４１と把手部４２とが環状に連なった形状とされ、把手部４２の上面には各種ボタンが設置された操作部が設けられている。そして、使用者が操作部を操作して掃除運転が実行され、把手部４２を把持して吸込ノズル６を移動させる。
【００２２】
吸込ノズル６は、床面に当接して床面上のゴミなどを吸い込むために、所定の横幅の吸込部を有する。また、ハンドル部４と延長管５との間にジョイント部７を介装しており、このジョイント部７に延長管５を着脱可能に装着し、さらにこの延長管５に替えて、隙間ノズルやブラシ付きノズルなどの掃除補助具を装着可能にしている。
【００２３】
また、電気掃除機１を用いた掃除中に掃除作業を一旦中断する場合が多くあるので、掃除中にハンドル部４や延長管５などを含む掃除具をテーブルや椅子などの上に置いたり立て掛けたりして、その後の掃除を容易に再開できるようにしておくことが好ましい。
【００２４】
そのために、本実施形態では、把手部４２の前方側に突出する突出アーム８を設け、当該突出アーム８に滑り止め部９を配設した構成とし、この突出アーム８や滑り止め部９を用いて掃除具を立て掛けるようにしている。
【００２５】
また、滑り止め部９は、下向き滑り止め部と前向き滑り止め部と上向き滑り止め部とを形成するようにしている。この構成であれば、立て掛ける相手側の面の角度に応じた適当な面の滑り止め部を用いることにより、室内のどんな場所でも、掃除中に延長管５とハンドル部４と接続ホース３を含む掃除具を立て掛けることが可能になる。
【００２６】
次に、この滑り止め部９の具体的な構成について図２〜図４を用いて説明する。図２は、滑り止め部９の第１実施形態例を示す側面図であり、図３は、滑り止め部９の第２実施形態例を示す側面図であり、図４は、滑り止め部９の第３実施形態例を示す側面図である。なお、以下の説明においては、突出アーム８が滑り止め部９の一例として、例えば摩擦抵抗が大きい軟質な材料からなる滑り止め部材を有する場合について説明するが、滑り止め部９は、突出アーム８と別部材である場合に限定されない。例えば、滑り止め部９は、突出アーム８の表面を凹凸加工することによって、突出アーム８と一体に成型してもよい。
【００２７】
〈第１実施形態〉
図２に示す第１実施形態の滑り止め部９Ａは、下向き滑り止め部９Ａ１と前向き滑り止め部９Ａ２と上向き滑り止め部９Ａ３との３面の滑り止め部を一体に有する。この構成であれば、一体構成品から成る滑り止め部９Ａであっても、３面のいずれかの滑り止め部を用いることにより、室内のどんな場所でも延長管５とハンドル部４と接続ホース３を含む掃除具を立て掛けることができる。
【００２８】
この滑り止め部９Ａは、一連のゴム板体もしくは一体の樹脂成形品として製造できる。また、それぞれの滑り止め部９Ａ１〜９Ａ３は、摩擦抵抗が大きい軟質な材料からなることが好ましい。そのために、滑り止め部９Ａは、摩擦抵抗が大きい軟質な材料からなる一体の樹脂成形品でもよく、硬質な樹脂本体の表面に、摩擦抵抗が大きい軟質な材料からなる滑り止め部９Ａ１〜９Ａ３を接着した構成であってもよい。
【００２９】
また、この滑り止め部９Ａを取り付ける突出アーム８Ａは、把手部４２の前方側から所定角度上側（角度θ）に向けて突出している。そして、この突出アーム８Ａの先端部に、下向き滑り止め部９Ａ１と前向き滑り止め部９Ａ２と上向き滑り止め部９Ａ３との３面の滑り止め部を一体に有する滑り止め部９Ａが配設される。
【００３０】
そのために、下向き滑り止め部９Ａ１は、床を掃除中に略水平になる水平ラインＨＬ（連結管部４１の軸ライン）に対して上向きの鋭角な角度α傾斜している。また、前向き滑り止め部９Ａ２は水平ラインＨＬに対して略直角であり、上向き滑り止め部９Ａ３は、延長管５の軸線Ｌに対して鋭角な角度β傾斜している。
【００３１】
上記したように、突出アーム８Ａの突出角度を把手部４２に対して所定角度上向きにすることにより、この突出アーム８Ａをテーブル面などの水平な面に載置した時に、突出アーム８Ａの前側に位置する延長管５及び吸込みノズル６を含む前側部と、当該突出アーム８Ａの後側に位置するハンドル部４及び接続ホース３を含む後側部とがバランスしてハンドル部４を静止させることができる。
【００３２】
また、滑り止め部９が、一面に設ける滑り止め部が下向き滑り止め部９Ａ１と前向き滑り止め部９Ａ２と上向き滑り止め部９Ａ３との３面の滑り止め部を兼任する構成であってもよいので、この第２実施形態の滑り止め部について図３を用いて説明する。
【００３３】
〈第２実施形態〉
図３に示す第２実施形態の滑り止め部９Ｂは、突出アーム８Ｂの先端に軸支部９０を介して回動自在に軸支され、一面に滑り止め部９１を有し、当該滑り止め部９１が、下向き滑り止め位置９Ｂ１と前向き滑り止め位置９Ｂ２と上向き滑り止め位置９Ｂ３とに変位可能に構成されている。
【００３４】
この構成であれば、滑り止め部９Ｂが備える滑り止め部９１が一面であっても、この滑り止め部９１を下向きと前向きと上向きに変化させることにより、それぞれ、下向き滑り止め部と前向き滑り止め部と上向き滑り止め部とを構成するので、室内のどんな場所でも延長管５とハンドル部４と接続ホース３を含む掃除具を立て掛けることができる。
【００３５】
滑り止め部９１は摩擦抵抗が大きい軟質な材料からなることが好ましく、滑り止め部９Ｂの本体部は硬質な材料からなることが好ましいので、本実施形態では、硬質な樹脂からなる本体部の表面に、摩擦抵抗が大きい軟質な材料からなる滑り止め部９１を接着した構成としている。また、摩擦抵抗を大きくするために、滑り止め部９１の表面に細かいギザギザ状の凹凸を形成している。
【００３６】
滑り止め部９Ｂは、突出アーム８Ｂの先端に軸支部９０を介して回動自在に軸支されている。また、下向き滑り止め位置９Ｂ１から上向き滑り止め位置９Ｂ３まで連続的に無段階に回動自在としてもよく、下向き滑り止め位置９Ｂ１と前向き滑り止め位置９Ｂ２と上向き滑り止め位置９Ｂ３との３段階に停止する構成であってもよい。いずれにしても、少なくとも、下向き滑り止め位置９Ｂ１と前向き滑り止め位置９Ｂ２と上向き滑り止め位置９Ｂ３とに停止可能な構成であればよい。
【００３７】
また、この回動操作は、人が滑り止め部９１などを把持して回動させてもよいが、摺動可能なレバー部材を用いて滑り止め部９Ｂを回動操作する構成であってもよい。例えば、基部２１に対して図中に想像線で示すレバー２２を図中の矢印Ｄ１方向に摺動可能に設け、レバー２２の先端を止着部９３に係止することで、滑り止め部９Ｂを図中の矢印Ｄ２に示す方向に回動させる構成としてもよい。
【００３８】
次に、滑り止め面の変形例を第３実施形態として図４を用いて説明する。
【００３９】
〈第３実施形態〉
図４は、滑り止め部の第３実施形態例を示す要部拡大図であって、滑り止め本体部９２に板状の滑り止め部９１Ａを装着した第３実施形態の滑り止め部９Ｃを示す。この滑り止め部９１Ａは滑り止め本体部９２に嵌め込み構成による装着か、もしくは、接着構成による装着でもよい。
【００４０】
また、滑り止め部９１Ａは、摩擦抵抗が大きい軟質な材料からなる板状部材であって、その表面に波形の当接面９１Ａａを設け、角部にテーパー部９１Ａｂを設けている。
【００４１】
滑り止め部９１Ａの表面に波形の当接面９１Ａａを設けることにより、滑り止め部９１Ａの載置面や当接面に対する保持力が増大し、掃除具を立て掛けた際に、この立て掛けた姿勢を維持する力が大きくなる。
【００４２】
また、角部にテーパー部９１Ａｂを設けることにより、滑り止め部９１Ａの立て掛け面に対する当接移動を案内するガイド機能を発揮して、所定の良好な角度に波形の当接面９１Ａａを配置させることが可能になる。
【００４３】
次に、下向き滑り止め部と前向き滑り止め部と上向き滑り止め部との３面の滑り止め部を介して掃除具を立て掛けた実例について図５（実施例１）、図６（実施例２）、図７（実施例３）を用いて説明する。図５は、下向き滑り止め部を用いて掃除具を保持する状態を示す概略説明図であり、図６は、前向き滑り止め部を用いて掃除具を保持する状態を示す概略説明図であり、図７は、上向き滑り止め部を用いて掃除具を保持する状態を示す概略説明図である。
【００４４】
（実施例１）
図５には、下向き滑り止め部９Ａ１を用いて掃除具を保持する状態とした実施例１を示す。例えば、テーブル３１の略水平なテーブル面３１Ａにこの下向き滑り止め部９Ａ１を当接させるようにして、接続ホース３とハンドル部４と延長管５を含む掃除具を立て掛ける。
【００４５】
図に示すように、この掃除具の状態は、通常の使用状態に近い状態であり、テーブル３１の下部空間に吸込ノズル６と延長管５が入り込んだ状態である。すなわち、ハンドル部４の前方側に設ける突出アーム８を載置可能な面（例えば、テーブル面３１Ａ）と、吸込ノズル６と延長管５が入り込む下部空間を備えた家具に対しては、この下向き滑り止め部９Ａ１を用いて掃除具を容易に保持することができる。
【００４６】
上記したように、下向き滑り止め部９Ａ１は、ハンドル部４を使用状態に一番近い角度（第一の角度）で保持する。この構成であれば、ハンドル部４の下側に連結される延長管５が入り込む空間のあるテーブル３１などの上面に下向き滑り止め部を当接した状態で、延長管５とハンドル部４と接続ホース３を含む掃除具を静止して保持することができる。
【００４７】
（実施例２）
図６には、前向き滑り止め部９Ａ２を用いて掃除具を保持する状態とした実施例２を示す。例えば、奥行きの短い棚３２の略水平な棚面３２Ａにこの前向き滑り止め部９Ａ２を当接させるようにして、接続ホース３とハンドル部４と延長管５を含む掃除具を立て掛ける。
【００４８】
図に示すように、この掃除具の状態は、上記の第一の角度からハンドル部を前回りに回転した第二の角度で保持された状態であり、延長管５を垂直に近い状態に保持していることが判る。すなわち、ハンドル部４の前方側に設ける突出アーム８を載置可能な面（例えば、棚面３２Ａ）と、吸込ノズル６と延長管５が入り込む下部空間がない家具に対しては、この前向き滑り止め部９Ａ２を用いて掃除具を容易に保持することができる。
【００４９】
上記したように、前向き滑り止め部９Ａ２は、ハンドル部４を前回りに回転した第二の角度で保持する。この構成であれば、ハンドル部４を前回りに回転して延長管５を少し鉛直方向に立てた状態にすることにより、ハンドル部４の下側に連結される延長管５が入り込む空間の奥行が短いテーブルや棚などの上面に前向き滑り止め部を当接した状態で、延長管５とハンドル部４と接続ホース３を含む掃除具を保持することができる。
【００５０】
（実施例３）
図７には、上向き滑り止め部９Ａ３を用いて掃除具を保持する状態とした実施例３を示す。例えば、略垂直な壁Ｗの面にこの上向き滑り止め部９Ａ３を当接させるようにして、接続ホース３とハンドル部４と延長管５を含む掃除具を立て掛ける。
【００５１】
図に示すように、この掃除具の状態は、上記の第二の角度からハンドル部をさらに前回りに回転した第三の角度で保持された状態であり、延長管５を垂直状態からさらに角度を大きくした状態に保持していることが判る。すなわち、ハンドル部４の前方側に設ける突出アーム８を当接可能な面（例えば、壁面）に、この上向き滑り止め部９Ａ３を当接させて、延長管５を壁Ｗから離した状態で掃除具を容易に保持することができる。
【００５２】
上記したように、上向き滑り止め部９Ａ３は、ハンドル部４を第二の角度よりもさらに前回りに回転した第三の角度で保持し、当該滑り止め部９Ａ３を略垂直な面に当接した状態で延長管５を立設保持する。この構成であれば、掃除具を立て掛ける部分が略垂直な面であっても、上向き滑り止め部９Ａ３を介してハンドル部４を第三の角度で保持することにより、延長管５とハンドル部４と接続ホース３を含む掃除具を立設保持することができる。
【００５３】
上記したように、本発明によれば、把手部の前方に突出アームを延設し、当該突出アームに滑り止め部を配設したので、使用者が電気掃除機を把持して掃除中に、この突出アームおよび滑り止め部を介して、延長管とハンドル部と接続ホースを含む掃除具を、テーブルや椅子などに、また、壁や本棚などに対しても容易に立て掛けることが可能になる。そのために、掃除中であっても、室内の様々な場所に、延長管とハンドル部と接続ホースを含む掃除具を立て掛け可能とする電気掃除機を得ることができる。
【００５４】
また、滑り止め部は、下向き滑り止め部と前向き滑り止め部と上向き滑り止め部とを形成する滑り止め部としているので、立て掛ける相手側の面の角度に応じた適当な面の滑り止め部を用いることにより、室内のどんな場所でも、掃除中に掃除具を立て掛け可能になる。
【００５５】
従って、本発明に係る電気掃除機は、掃除中にこの掃除作業を一旦中断しても、掃除具を室内の任意の場所に立て掛け可能で、容易に再開することが可能になるので、掃除作業の効率を向上させることができて利便性の高い電気掃除機となる。
【産業上の利用可能性】
【００５６】
そのために、本発明に係る電気掃除機は、掃除作業の効率を向上させ利便性を高くすることが求められる電気掃除機に好適に利用可能となる。
【符号の説明】
【００５７】
１    電気掃除機
２    掃除機本体
３    接続ホース
４    ハンドル部
５    延長管
６    吸込ノズル
８、８Ａ、８Ｂ    突出アーム
９    滑り止め部
９Ａ  滑り止め部（第１実施形態）
９Ｂ  滑り止め部（第２実施形態）
９Ｃ  滑り止め部（第３実施形態）
９Ａ１  下向き滑り止め部
９Ａ２  前向き滑り止め部
９Ａ３  上向き滑り止め部
３１    テーブル
３１Ａ  テーブル面
３２    棚
３２Ａ  棚面
Ｗ    壁
【図１】
2014045835.tif 000003
【図２】
2014045835.tif 000004
【図３】
2014045835.tif 000005
【図４】
2014045835.tif 000006
【図５】
2014045835.tif 000007
【図６】
2014045835.tif 000008
【図７】
2014045835.tif 000009